(57)【要約】【課題】本発明は、簡単な操作で容易に連続発信を行うことができる携帯電話機を提供することを目的とする。【解決手段】表示部に表示されている電話番号の１つが選択されて発信が行われると、記憶部に記憶されている履歴を探索して発信された電話番号に続いて発信された連続発信電話番号を抽出し、抽出した連続発信電話番号を発信先候補として表示する。【選択図】図１
2008199452.tif 000002
【特許請求の範囲】
【請求項１】
発信した電話番号の履歴を記憶する記憶部と、
入力部の操作に基づいて前記記憶部から読み出した電話番号を表示する表示部と、
前記表示部に表示されている電話番号の１つが選択されて発信が行われると、前記記憶部に記憶されている前記履歴を探索して前記発信された電話番号に続いて発信された連続発信電話番号を抽出し、前記抽出した連続発信電話番号を発信先候補として表示する制御部と
を備えることを特徴とする携帯電話機。
【請求項２】
前記制御部は、
前記記憶部から選択された電話番号が履歴として登録されたときの時刻情報と、前記連続発信電話番号として取り出した電話番号が前記記憶部に履歴として登録された時刻情報との差分が、所定時間内にない場合は、前記発信先候補に含めないように判定して抽出する
ことを特徴とする請求項１に記載の携帯電話機。
【請求項３】
前記制御部は、
前記記憶部から選択した電話番号が履歴として登録されたときに対応付けて登録された位置と、前記連続発信電話番号として取り出した電話番号が前記記憶部に履歴として登録さたときに対応付けて登録された位置情報との間の距離を求め、この距離が所定距離内である場合にない場合は、前記発信先候補に含めないように判定して抽出する
ことを特徴とする請求項１に記載の携帯電話機。
【請求項４】
発信した電話番号および着信した電話番号の履歴を記憶する記憶部と、
入力部の操作に基づいて前記記憶部から読み出した電話番号を表示する表示部と、
着信を検出すると、前記記憶部を探索してこの着信の後に発信された連続発信電話番号を抽出する抽出部と、
前記入力部の操作に基づいて前記記憶部に記憶されている電話番号を表示するときに前記抽出部が前記連続発信電話番号を抽出している場合は、前記抽出した連続発信電話番号の表示優先度を上げて発信先候補として表示する制御部と
を備えることを特徴とする携帯電話機。
【発明の詳細な説明】
【技術分野】
【０００１】
本発明は、携帯電話機に関する。
【背景技術】
【０００２】
携帯電話機は、複数のユーザの電話場号とこのユーザの名前を登録した電話帳を備えることが一般的であり、この電話帳に登録した電話番号に基づいて発信することができる。また、着信があると、この着信に含まれている電話番号が電話帳に登録してある電話番号と一致している場合は、この電話番号に対応して登録されている名前を表示することで、発信者を容易に知ることができる。また、電話帳に登録した複数の電話番号を１つのグループとして関連付けるとともに、この登録されている複数の電話番号に順序付けを行い、この順序に従って連続して発信することでユーザの利便性を考慮したものがある（例えば、特許文献１参照）。
【特許文献１】特開２００２−３００２６５号公報
【発明の開示】
【発明が解決しようとする課題】
【０００３】
しかしながら、上記のように電話帳に登録されている複数の電話番号を１つのグループとして纏め、このグループの中で連続して発信するとした場合、連続して発信する相手は固定的になり、様々な状況におけるユーザの利便性を考慮したものではなかった。そこで本発明では、簡単な操作で容易に、かつユーザの状況を考慮して連続発信を行うことのできる携帯電話機を提供することを目的とする。
【課題を解決するための手段】
【０００４】
本発明の一態様による携帯電話機は、
発信した電話番号の履歴を記憶する記憶部と、
入力部の操作に基づいて前記記憶部から読み出した電話番号を表示する表示部と、
前記表示部に表示されている電話番号の１つが選択されて発信が行われると、前記記憶部に記憶されている前記履歴を探索して前記発信された電話番号に続いて発信された連続発信電話番号を抽出し、前記抽出した連続発信電話番号を発信先候補として表示する制御部と
を備える。
【０００５】
また本発明の一態様による携帯電話機は、
発信した電話番号および着信した電話番号の履歴を記憶する記憶部と、
入力部の操作に基づいて前記記憶部から読み出した電話番号を表示する表示部と、
着信を検出すると、前記記憶部を探索してこの着信の後に発信された連続発信電話番号を抽出する抽出部と、
前記入力部の操作に基づいて前記記憶部に記憶されている電話番号を表示するときに前記抽出部が前記連続発信電話番号を抽出している場合は、前記抽出した連続発信電話番号の表示優先度を上げて発信先候補として表示する制御部と
を備える。
【発明の効果】
【０００６】
本発明の携帯電話機によれば、簡単な操作で容易に連続発信を行うことができる。
【発明を実施するための最良の形態】
【０００７】
以下、本発明の実施の形態について図面を参照して説明する。
【０００８】
（１）第１の実施の形態
図１に、本発明の第１の実施の形態による携帯電話機１０の構成を示す。この携帯電話機１０の場合、通話時には、マイク２０から入力された音声信号は、信号処理回路３０及び無線部４０を順次介して無線信号に変換された後、アンテナ５０から送信される。一方、アンテナ５０によって受信された無線信号は、無線部４０及び信号処理回路３０を順次介して音声信号に変換された後、スピーカ６０から外部に出力される。
【０００９】
制御部７０は、信号処理回路３０及び無線部４０の動作を制御し、必要に応じて記憶部８０にアクセスすることにより、データの読み出し及び書き込みを行う。また、制御部７０は、入力部９０から入力される操作情報に基づいて、種々の動作を行わせ、さらに、必要に応じて所望の情報を表示部１００に表示する。
【００１０】
例えば、制御部７０は、ユーザが、入力部９０を用いて発信履歴を表示するための操作を行うと、発信履歴を表示部１００に表示する。すなわち、図２（Ａ）に示すように、制御部７０は、最近発信された発信先の電話番号が発信順に表示された発信履歴を表示部１００に表示する。
【００１１】
この状態において、ユーザが、入力部９０の下カーソルキーを４回押下して、「５．Ａ」を選択することにより、発信履歴の中から発信先Aを選択して、発信を行うと、図２（Ｂ）に示すように、制御部７０は、通常、発信履歴の先頭に発信先Aの電話番号を表示する。
【００１２】
ところで、ユーザが発信先Ａに発信した後には、非常に高い頻度で発信先Ｂに連続して発信することが、過去の発信履歴から予測される場合には、ユーザが発信履歴の中から発信先Aを選択して発信を行うと、図３（Ｂ）に示すように、制御部７０は、次に発信する可能性が高い発信先Ｂ（以下、これを次候補と呼ぶ）の電話番号を、発信履歴の先頭に表示する。
【００１３】
このように本実施の形態によれば、発信先Ａに発信した後、発信先Bを選択して連続発信を行うことが予測される場合には、図２（Ｂ）に示す発信履歴が表示される通常の表示方法と比較して、下カーソルキーを4回押下する操作が必要なくなり、従って少ないキー操作で連続発信を行うことが可能になる。
【００１４】
ここで図４に、本実施の形態による発信履歴管理方法を実現するための制御部７０及び記憶部８０の具体的な構成を示す。すなわち、制御部７０は、発信履歴表示部１１０、発信履歴管理部１２０、連続発信判定部１３０及び連続発信管理部１４０を有する。記憶部８０は、発信履歴データ１５０、次候補データ１６０、判定用データ１７０及び連続発信データ１８０を有する。
【００１５】
発信履歴表示部１１０は、必要に応じて表示部１００に発信履歴を表示する。発信履歴管理部１２０は、発信履歴データ１５０及び次候補データ１６０を管理する。連続発信判定部１３０は、判定用データ１７０を用いて連続発信か否かを判定し、その判定結果に応じて、連続発信管理部１４０に連続発信データ１８０を登録する依頼や、発信履歴管理部１２０に次候補データ１６０を登録する依頼を行う。連続発信管理部１４０は、連続発信のパターンデータからなる連続発信データ１８０を管理する。
【００１６】
なお、発信履歴データ１５０の一例を図５に示し、次候補データ１６０の一例を図６に示し、連続発信データ１８０の一例を図７に示す。
【００１７】
ここで図８に、本実施の形態による発信履歴管理処理手順ＲＴ１０を示す。ステップＳＰ１０において、発信履歴管理部１２０は、発信が行われたことを通知されると、ステップＳＰ２０に移って、発信履歴データ１５０に当該発信先のデータを追加する（図５）。
【００１８】
ステップＳＰ３０において、連続発信判定部１３０は、判定用データ１７０が記憶部８０に格納されているか否かを確認する。ステップＳＰ４０において、連続発信判定部１３０は、判定用データ１７０が記憶部８０に格納されていないと判定すると、このことは連続発信の対象となり得る発信先のデータが格納されていないことを表しており、このとき連続発信判定部１３０は、ステップＳＰ５０に移って、判定用データ１７０に、発信履歴データ１５０のうち、最新の発信先のデータ（すなわち、ステップＳＰ２０において発信履歴データ１５０に追加された発信先のデータ）を追加する。
【００１９】
これに対して、ステップＳＰ４０において、連続発信判定部１３０は、判定用データ１７０が記憶部８０に格納されていると判定すると、このことは連続発信の対象となり得る発信先のデータが格納されていることを表しており、このとき連続発信判定部１３０は、ステップＳＰ６０に移って、発信履歴データ１５０のうち、最新の発信先のデータと、判定用データ１７０とが、連続発信に該当するか否かを判定する。
【００２０】
すなわち、連続発信判定部１３０は、ステップＳＰ２０において発信履歴データ１５０に追加された発信先のデータと、前回発信された発信先のデータとを比較することにより、ステップＳＰ１０において行われた発信が、前回発信された発信先に対する連続発信に該当するか否かを判定する。
【００２１】
ステップＳＰ７０において、連続発信判定部１３０は、当該発信が連続発信であると判定すると、ステップＳＰ５０に移って、判定用データ１７０に、発信履歴データ１５０のうち、最新の発信先のデータ（すなわち、ステップＳＰ２０において発信履歴データ１５０に追加された発信先のデータ）を追加する。
【００２２】
これに対して、ステップＳＰ７０において、連続発信判定部１３０は、当該発信が連続発信でないと判定すると、ステップＳＰ８０に移って、判定用データ１７０が２件以上の発信先を有することを条件として、当該判定用データ１７０を連続発信データ１８０（連続発信のパターンデータ）として登録することを、連続発信管理部１４０に依頼し、登録を実行させる。
【００２３】
ステップＳＰ９０において、連続発信判定部１３０は、現在格納されている判定用データ１７０を削除した後、ステップＳＰ５０に移って、判定用データ１７０に、発信履歴データ１５０のうち、最新の発信先のデータ（すなわち、ステップＳＰ２０において発信履歴データ１５０に追加された発信先のデータ）を追加する。
【００２４】
ステップＳＰ１００において、連続発信判定部１３０は、この追加された判定用データ１７０（すなわち、ステップＳＰ２０において発信履歴データ１５０に発信先のデータが追加されたデータ）を連続発信管理部１４０に通知することにより、当該判定用データ１７０が連続発信データ１８０に含まれているかを、連続発信管理部１４０に問い合わせる。すなわち、連続発信判定部１３０は、判定用データ１７０と、当該判定用データ１７０の発信先に連続して発信されることが予測される発信先データ（すなわち次候補データ）とが、連続発信データ１８０として格納されているか否かを、連続発信管理部１４０に問い合わせる。
【００２５】
ステップＳＰ１１０において、連続発信判定部１３０は、次候補データが格納されていないと判定された場合には、ステップＳＰ１２０に移って、当該発信（ステップＳＰ１０）についての発信履歴管理処理手順ＲＴ１０を終了する。
【００２６】
ステップＳＰ１１０において、連続発信判定部１３０は、次候補データが格納されていると判定された場合には、ステップＳＰ１３０に移って、この格納されている次候補データを次候補データ１６０として登録することを発信履歴管理部１２０に依頼し、登録を行わせた後、ステップＳＰ１２０に移って、当該処理手順ＲＴ１０を終了する。
【００２７】
なお、ステップＳＰ６０における、連続発信かどうかの判定基準としては、例えば発信時刻と通話時間とを用いる。すなわち、連続発信判定部１３０は、発信時刻が、前回の発信時刻に通話時間を足した時刻から一定時間内である場合には、当該発信を連続発信と判断する。一定時間内の設定は、あらかじめ携帯電話機１０内で設定しておいても良いし、ユーザが設定できるようにしても良い。
【００２８】
ここで図９に、連続発信判定処理ステップＳＰ６０における具体的な処理手順を示す。すなわち、連続発信判定部１３０は、当該処理ステップＳＰ６０に入ると、ステップＳＰ１４０に移って、判定用データ１７０の中から前回の発信先のデータを読み出し、この前回の発信先のデータの発信時刻に通話時間を加算した時刻を、前回の通話の終了時刻とする。
【００２９】
ステップＳＰ１５０において、連続発信判定部１３０は、ステップＳＰ１０において行われた今回の発信の発信時刻と、前回の通話の終了時刻との差分を算出する。ステップＳＰ１６０において、連続発信判定部１３０は、この算出された差分が、一定時間内であるか否かを判定する。
【００３０】
このステップＳＰ１６０において肯定結果が得られると、連続発信判定部１３０は、ステップＳＰ１７０に移って、当該発信を連続発信と判定し、ステップＳＰ１８０に移って、処理ステップＳＰ６０を終了する。これに対して、ステップＳＰ１６０において否定結果が得られると、連続発信判定部１３０は、ステップＳＰ１９０に移って、当該発信を連続発信でないと判定し、ステップＳＰ１８０に移って、処理ステップＳＰ６０を終了する。
【００３１】
なお、ステップＳＰ１６０において肯定結果が得られても、当該発信の発信先がアドレス帳に登録されていない場合には、ステップＳＰ１９０に移って、当該発信を連続発信でないと判定することもできる。
【００３２】
因みに、図６に示すように、次候補データ１６０には有効期限が設定されている。この有効期限は、次候補データ１６０を発信履歴の先頭に表示する際の期限を表す。よって、この有効期限の設定にも、上述の一定時間を用いれば良い。すなわち、前回の発信の発信時刻に通話時間を足した時刻に、上述の一定時間を加算した時刻を、次候補データ１６０の有効期限とする。
【００３３】
また、ステップＳＰ６０における、連続発信かどうかの判定基準としては、例えば、発信時の位置情報を用いることもできる。これは、発信が時間的に連続していなくても、発信、作業、発信、作業、…といった繰り返し作業を行う場合に有効である。
【００３４】
この場合、発信時の位置が同じ、もしくは、一定距離内であれば、連続発信と判断する。一定距離内の設定は、あらかじめ携帯電話機１０内で設定しておいても良いし、ユーザが設定できるようにしてもよい。
【００３５】
次いで、図１０に、かかる場合の連続発信判定処理ステップＳＰ６０における具体的な処理手順を示す。すなわち、連続発信判定部１３０は、当該処理ステップＳＰ６０に入ると、ステップＳＰ１９５に移って、判定用データ１７０に格納されている前回の発信時の位置と、ステップＳＰ１０において行われた今回の発信時の位置との距離を算出する。ステップＳＰ２００において、連続発信判定部１３０は、この算出された距離が、一定距離内であるか否かを判定する。
【００３６】
このステップＳＰ２００において肯定結果が得られると、連続発信判定部１３０は、ステップＳＰ２１０に移って、当該発信を連続発信と判定し、ステップＳＰ２２０に移って、処理ステップＳＰ６０を終了する。これに対して、ステップＳＰ２００において否定結果が得られると、連続発信判定部１３０は、ステップＳＰ２３０に移って、当該発信を連続発信でないと判定し、ステップＳＰ２２０に移って、処理ステップＳＰ６０を終了する。
【００３７】
因みに、位置情報を連続発信の判断基準として用いる場合は、次候補データ１６０は、時刻による有効期限を設定するのではなく、位置による有効範囲を設定する。
【００３８】
また、位置情報を、連続発信の判断基準として用いる場合には、発信履歴データ１５０、次候補データ１６０及び連続発信データ１８０に、位置情報が必要である。このようなＧＰＳを使用して位置情報を取得した場合における、発信履歴データ１５０の一例を図１１に示し、次候補データ１６０の一例を図１２に示し、連続発信データ１８０の一例を図１３に示す。
【００３９】
ところで、連続発信かどうかの判定基準として、発信時刻と通話時間の組み合わせや、位置情報を用いた場合、次候補が複数となる場合が発生する可能性がある。例えば、発信先Aに電話した際、発信先Aから発信先Bへの連続発信という組み合わせと、発信先Aから発信先Ｃへの連続発信という組み合わせが連続発信データ１８０に格納され、次候補として発信先B及びCが想定されるような場合である。このような場合、次候補を1つに決定する方法としては、判定基準の情報を追加する方法がある。追加する情報としては、以下の４つの例がある。
【００４０】
第１の例としては、利用回数がある。すなわち、利用回数の最も多い組み合わせから次候補を決定する。上述の例では、発信先Aから発信先Bへの連続発信が5回、発信先Aから発信先Ｃへの連続発信が3回利用されていたら、次候補は発信先Bとする。
【００４１】
第２の例としては、最新利用日時がある。すなわち、利用された組み合わせのうち、最新のものから次候補を決定する。上述の例では、発信先Aから発信先Bへの連続発信が2006/09/11に利用され、発信先Aから発信先Ｃへの連続発信が2006/09/12に利用されていたら、次候補は発信先Cとする。
【００４２】
第３の例としては、利用日時がある。すなわち、利用日時の類似度が高いものから次候補を決定する。類似度としては、1日の時間での類似度(朝だったら発信先Aから発信先Bへの組み合わせ、夕方だったら発信先Aから発信先Ｃへの組み合わせ等) 、週の時間での類似度(平日だったら発信先Aから発信先Bへの組み合わせ、週末だったら発信先Aから発信先Ｃへの組み合わせ等) 、月の時間での類似度(月初めだったら発信先Aから発信先Bへの組み合わせ、月末だったら発信先Aから発信先Ｃへの組み合わせ等)等がある。 
第４の例としては、場所がある。すなわち、利用場所が近いものから次候補を決定する。例えば、会社周辺だったら発信先Aから発信先Bへの組み合わせ、自宅周辺だったら発信先Aから発信先Cへの組み合わせ等がある。
【００４３】
なお、判定基準の情報を追加する場合は、連続発信データ１８０に必要な情報を追加する。上述の例では、第１の例の場合は利用回数を、第２及び第３の例の場合は日時を、第４の例の場合は位置情報を追加すればよい。利用回数を追加した連続発信データ１８０の一例を図１４に、日時を追加した連続発信データ１８０の一例を図１５に示す。位置情報を追加した連続発信データ１８０の一例は、図１３と同じである。これら追加情報は、図８に示す発信履歴管理処理手順ＲＴ１０のステップＳＰ８０において、更新される。
【００４４】
また、次候補は１つに決定する場合だけでなく、複数の次候補を決定し、当該複数の次候補にそれぞれ優先順位を対応付けて表示するようにしても良い。
【００４５】
ここで図１６に、本実施の形態による発信履歴表示処理手順ＲＴ２０を示す。ステップＳＰ２４０において、発信履歴管理部１２０は、発信履歴表示コマンドが発行されたことを通知されると、ステップＳＰ２５０に移って、次候補データ１６０が格納されているか否かを判定する。
【００４６】
このステップＳＰ２５０において否定結果が得られると、発信履歴管理部１２０は、ステップＳＰ２６０に移って、発信履歴データ１５０を発信履歴表示部１１０に通知する。発信履歴表示部１１０は、この発信履歴データ１５０を発信履歴として表示部１００に表示した後、ステップＳＰ２７０に移って、当該処理手順ＲＴ２０を終了する。
【００４７】
これに対して、ステップＳＰ２５０において肯定結果が得られると、発信履歴管理部１２０は、ステップＳＰ２８０に移って、次候補データ１６０が有効か否かを判定する。すなわち、現在の時刻が、次候補データ１６０の有効期限内か否か、又は現在の位置が、次候補データ１６０の有効範囲内か否かを判定する。
【００４８】
このステップＳＰ２８０において否定結果が得られると、このことは次候補に発信することなく一定時間が経過したか、又は次候補に発信することなくユーザが一定距離移動したことを表しており、このとき発信履歴管理部１２０は、ステップＳＰ２９０に移って、この次候補データ１６０を削除する。
【００４９】
ステップＳＰ２６０において、発信履歴管理部１２０は、発信履歴データ１５０を発信履歴表示部１１０に通知する。発信履歴表示部１１０は、この発信履歴データ１５０を発信履歴として表示部１００に表示した後、ステップＳＰ２７０に移って、当該処理手順ＲＴ２０を終了する。
【００５０】
これに対してステップＳＰ２８０において肯定結果が得られると、発信履歴管理部１２０は、ステップＳＰ３００に移って、発信履歴データ１５０及び次候補データ１６０を発信履歴表示部１１０に通知する。発信履歴表示部１１０は、この発信履歴データ１５０の先頭に次候補データ１６０を追加して発信履歴を表示部１００に表示した後、ステップＳＰ２７０に移って、当該処理手順ＲＴ２０を終了する。
【００５１】
このように本実施の形態によれば、次候補を発信履歴の先頭に追加して表示部１００に表示することにより、簡単な操作で容易に連続発信を行うことができる。
【００５２】
（２）第２の実施の形態
図１７に、第２の実施の形態による発信履歴管理方法を実現するための制御部７０及び記憶部８０の具体的な構成を示す。なお、図４に示された要素と同一のものには同一の符号を付して説明を省略する。本実施の形態の場合、制御部７０（抽出部）は、発信履歴表示部１１０、発信履歴管理部１２０、連続発信判定部１３０及び連続発信管理部１４０に加えて、着信履歴管理部１９０を有する。記憶部８０は、発信履歴データ１５０、次候補データ１６０、判定用データ１７０及び連続発信データ１８０に加えて、着信履歴データ２００を有する。
【００５３】
ところで、着信元（発信元）Ａから着信があると、非常に高い頻度で発信先Ｂに発信することが、過去の着信履歴及び発信履歴から予測される場合には、着信元Ａから着信があると、制御部７０は、次に発信する可能性が高い発信先Ｂの電話番号を、発信履歴の先頭に表示する。これにより、着信元Ａから着信があった後、発信先Bに連続発信を行う場合に、少ないキー操作で発信を行うことが可能になる。
【００５４】
本実施の形態の場合、着信履歴管理部１９０は、着信履歴データ２００を管理する。連続発信判定部１３０は、判定用データ１７０を用いて連続発信か否かを判定し、その判定結果に応じて、連続発信管理部１４０に連続発信データ１８０を登録する依頼や、発信履歴管理部１２０に次候補データ１６０を登録する依頼を行う。連続発信管理部１４０は、連続発信のパターンデータからなる連続発信データ１８０を管理する。この連続発信データ１８０の一例を図１８に示す。
【００５５】
ここで図１９に、本実施の形態による着信履歴管理処理手順ＲＴ３０を示す。ステップＳＰ３１０において、着信履歴管理部１９０は、着信があったことを通知されると、ステップＳＰ３２０に移って、着信履歴データ２００に当該着信元（発信元）のデータを追加する。
【００５６】
ステップＳＰ３３０において、連続発信判定部１３０は、この着信履歴データ２００に追加された着信元のデータを連続発信管理部１４０に通知することにより、当該着信元のデータが連続発信データ１８０に含まれているかを、連続発信管理部１４０に問い合わせる。すなわち、連続発信判定部１３０は、着信元のデータと、当該着信に連続して発信されることが予測される発信先データ（すなわち次候補データ）とが、連続発信データ１８０として格納されているか否かを、連続発信管理部１４０に問い合わせる。
【００５７】
ステップＳＰ３４０において、連続発信判定部１３０は、次候補データが格納されていないと判定された場合には、ステップＳＰ３５０に移って、判定用データ１７０を、最新の着信元のデータに更新した後、ステップＳＰ３６０に移って、着信履歴管理処理手順ＲＴ３０を終了する。
【００５８】
これに対してステップＳＰ３４０において、連続発信判定部１３０は、次候補データが格納されていると判定された場合には、ステップＳＰ３７０に移って、この格納されている次候補データを次候補データ１６０として登録することを発信履歴管理部１２０に依頼し、登録を行わせる。ステップＳＰ３５０において、連続発信判定部１３０は、判定用データ１７０を、最新の着信元のデータに更新した後、ステップＳＰ３６０に移って、着信履歴管理処理手順ＲＴ３０を終了する。
【００５９】
ここで図２０に、本実施の形態による発信履歴管理処理手順ＲＴ４０を示す。ステップＳＰ３８０において、発信履歴管理部１２０は、発信が行われたことを通知されると、ステップＳＰ３９０に移って、発信履歴データ１５０に当該発信先のデータを追加する。
【００６０】
ステップＳＰ４００において、連続発信判定部１３０は、判定用データ１７０が記憶部８０に格納されているか否かを確認する。ステップＳＰ４１０において、連続発信判定部１３０は、判定用データ１７０が記憶部８０に格納されていないと判定すると、このことは連続発信の対象となり得る着信元のデータが格納されていないことを表しており、このとき連続発信判定部１３０は、ステップＳＰ４２０に移って、当該処理手順ＲＴ４０を終了する。
【００６１】
これに対して、ステップＳＰ４１０において、連続発信判定部１３０は、判定用データ１７０が記憶部８０に格納されていると判定すると、このことは連続発信の対象となり得る着信元のデータが格納されていることを表しており、このとき連続発信判定部１３０は、ステップＳＰ４３０に移って、発信履歴データ１５０のうち、最新の発信先のデータと、判定用データ１７０とが、連続発信に該当するか否かを判定する。
【００６２】
すなわち、連続発信判定部１３０は、ステップＳＰ３８０において発信履歴データ１５０に追加された発信先のデータと、前回着信された着信元のデータとを比較することにより、ステップＳＰ３８０において行われた発信が、前回着信された着信元に対する連続発信に該当するか否かを判定する。
【００６３】
ステップＳＰ４４０において、連続発信判定部１３０は、当該発信が連続発信でないと判定すると、ステップＳＰ４５０に移って、現在格納されている判定用データ１７０を削除した後、ステップＳＰ４２０に移って、当該処理手順ＲＴ４０を終了する。
【００６４】
これに対してステップＳＰ４４０において、連続発信判定部１３０は、当該発信が連続発信であると判定すると、ステップＳＰ４６０に移って、判定用データ１７０及び発信先のデータを連続発信データ１８０（連続発信のパターンデータ）として登録することを、連続発信管理部１４０に依頼し、登録を実行させる。
【００６５】
その後、ステップＳＰ４５０において、連続発信判定部１３０は、現在格納されている判定用データ１７０を削除した後、ステップＳＰ４２０に移って、当該処理手順ＲＴ４０を終了する。
【００６６】
なお、上述の実施の形態は一例であって、本発明を限定するものではない。例えば、発信に対する連続発信を行う際の発信履歴表示方法（第１の実施の形態）と、着信に対する連続発信を行う際の発信履歴表示方法（第２の実施の形態）とを組み合わせて利用しても良い。また、携帯電話機１０ではなく、例えば固定電話機など、他の種々の端末装置に適用することが可能である。
【図面の簡単な説明】
【００６７】
【図１】本発明の第１の実施の形態による携帯電話機の構成を示すブロック図である。
【図２】発信履歴の表示画面を示す説明図である。
【図３】発信履歴の表示画面を示す説明図である。
【図４】制御部及び記憶部の具体的な構成を示すブロック図である。
【図５】発信履歴データの一例を示す説明図である。
【図６】次候補データの一例を示す説明図である。
【図７】連続発信データの一例を示す説明図である。
【図８】本実施の形態による発信履歴管理処理手順を示すフローチャートである。
【図９】連続発信判定処理ステップにおける具体的な処理手順を示すフローチャートである。
【図１０】連続発信判定処理ステップにおける具体的な処理手順を示すフローチャートである。
【図１１】発信履歴データの一例を示す説明図である。
【図１２】次候補データの一例を示す説明図である。
【図１３】連続発信データの一例を示す説明図である。
【図１４】利用回数を追加した連続発信データの一例を示す説明図である。
【図１５】日時を追加した連続発信データの一例を示す説明図である。
【図１６】本実施の形態による発信履歴表示処理手順を示すフローチャートである。
【図１７】第２の実施の形態による制御部及び記憶部の具体的な構成を示すブロック図である。
【図１８】連続発信データの一例を示す説明図である。
【図１９】本実施の形態による着信履歴管理処理手順を示すフローチャートである。
【図２０】本実施の形態による発信履歴管理処理手順を示すフローチャートである。
【符号の説明】
【００６８】
１０  携帯電話機
７０  制御部
８０  記憶部
９０  入力部
１００  表示部
１１０  発信履歴表示部
１２０  発信履歴管理部
１３０  連続発信判定部
１４０  連続発信管理部
１９０  着信履歴管理部
【図１】
2008199452.tif 000003
【図２】
2008199452.tif 000004
【図３】
2008199452.tif 000005
【図４】
2008199452.tif 000006
【図５】
2008199452.tif 000007
【図６】
2008199452.tif 000008
【図７】
2008199452.tif 000009
【図８】
2008199452.tif 000010
【図９】
2008199452.tif 000011
【図１０】
2008199452.tif 000012
【図１１】
2008199452.tif 000013
【図１２】
2008199452.tif 000014
【図１３】
2008199452.tif 000015
【図１４】
2008199452.tif 000016
【図１５】
2008199452.tif 000017
【図１６】
2008199452.tif 000018
【図１７】
2008199452.tif 000019
【図１８】
2008199452.tif 000020
【図１９】
2008199452.tif 000021
【図２０】
2008199452.tif 000022